(57)【特許請求の範囲】
【請求項１】
デジタル信号をアナログ形式で送信するよう処理する方法であって、
変換周波数を有するデジタル−アナログ変換器（ＤＡＣ）において、入力周波数より大きい無線周波数でアナログ信号イメージ出力を生成するために、前記入力周波数を有するデジタル信号を変換するステップを含み、
ａ）前記デジタル信号は複数のデジタル入力信号のうちの１つであり、前記デジタル入力信号の各々は入力周波数を有し、前記入力周波数が、前記変換周波数の２分の１の幅を有する周波数バンドのオーバラップしない部分に位置しており、そして、
ｂ）前記ＤＡＣの前記アナログ信号イメージ出力は前記周波数バンドの複数のイメージを含み、前記複数のイメージが、ゾーンと称する連続するオーバラップしない周波数バンドにグループ化され、前記グループ化は、前記ゾーンの各々が前記複数のデジタル入力信号の各々の１つのイメージを含むよう行われ、前記方法はさらに、
伝送用のデジタル入力信号イメージを選択するステップを含み、少なくとも２つの前記デジタル入力信号イメージが、異なるゾーンから選択され、そして前記複数のデジタル入力信号のうちの異なるものに対応することを特徴とする方法。
【請求項２】
選択された前記デジタル入力信号イメージの各々をそれぞれのパスに向けるステップと、
前記それぞれのパス上の前記選択されたデジタル入力信号イメージの各々を増幅するステップと、
少なくとも１つのそれぞれのアンテナを用いて、前記選択され増幅されたデジタル入力信号イメージの各々を伝送するステップとを含むことを特徴とする請求項１記載の方法。
【請求項３】
伝送周波数で少なくとも１つのデジタル入力信号イメージを生成するよう、前記変換周波数を調整するステップをさらに含むことを特徴とする請求項１記載の方法。
【請求項４】
伝送周波数で少なくとも１つのデジタル入力信号イメージを生成するよう、前記複数のデジタル入力周波数のうちの少なくとも１つを調整するステップをさらに含むことを特徴とする請求項１記載の方法。
【請求項５】
送信機であって、
変換周波数を有するデジタル−アナログ変換器（ＤＡＣ）を含み、前記ＤＡＣは、異なる入力周波数を有する複数のデジタル入力信号を受信しかつ前記複数のデジタル入力信号の各デジタル入力信号をアナログ形式に変換して、対応するデジタル入力信号イメージを異なる無線周波数のアナログ信号イメージとして生成するよう構成されており、前記異なる無線周波数の各々はその対応する入力周波数よりも大きいものであり、前記送信機はさらに、
前記複数のデジタル入力信号を受信し、そして前記デジタル入力信号のそれぞれの入力周波数を、前記変換周波数の２分の１の幅を有する周波数バンドのオーバラップしない部分に位置付けることで、前記ＤＡＣへの入力用の前記デジタル入力信号を調整するよう構成された信号処理回路と、
伝送用の前記デジタル入力信号イメージの一定のものを選択するよう構成された送信機回路を含み、前記デジタル入力信号イメージが、ゾーンと称する複数のオーバラップしない連続する周波数バンドにグループ化され、前記グループ化は、各ゾーンが前記デジタル入力信号の各々の１つのデジタル入力信号イメージを含むように行われ、前記送信機回路は、異なるゾーンから、前記複数のデジタル入力信号の異なるものに対応する少なくとも２つのデジタル入力信号イメージを選択するよう構成されていることを特徴とする、送信機。
【請求項６】
前記送信機回路は、
第１の周波数バンドの第１の選択されたデジタル入力信号イメージを第１のパスに向け、そして第２の周波数バンドの第２の選択されたデジタル入力信号イメージを第２のパスに向けるよう構成された信号分配回路と、
前記第１のパス上の前記第１の選択されたデジタル入力信号イメージを増幅する、前記第１のパス上の第１の増幅器と、
前記第２のパス上の前記第２の選択されたデジタル入力信号イメージを増幅する、前記第２のパス上の第２の増幅器と、
増幅後に、前記第１の選択されたデジタル入力信号イメージを伝送する、前記第１のパスに接続された第１のアンテナと、
増幅後に、前記第２の選択されたデジタル入力信号イメージを伝送する、前記第２のパスに接続された第２のアンテナとを含むことを特徴とする請求項５に記載の送信機。
【発明の詳細な説明】
【０００１】
【発明の属する技術分野】
本発明は、無線通信技術に関し、特に無線通信システムのデジタル送信機のアーキテクチャに関する。
【０００２】
【従来の技術】
無線通信システムのサービスエリアは、セルと称する複数のサービス領域に分割され、無線機器はそのセルにサービスする基地局（ＢＳ）と無線リンクを介して通信する。基地局は、地上線のネットワークに接続され、例えば移動交換器センタ（Mobile Switching Center，ＭＳＣ）を介してサービスエリアに分散している複数の基地局に接続されている。無線通信産業においては、サービスプロバイダには、ＲＦ通信チャネルの送信と受信用に用いられる複数の連続しない、即ち分割された周波数帯域が与えられている。
【０００３】
例えば米国においては、セルラ通信用の「Ａ」バンド（帯域）プロバイダ用の基地局は、Ａ（８２５−８３５ＭＨｚ）、Ａ′（８４５−８４６．５ＭＨｚ）、Ａ″（８２４−８２５ＭＨｚ）のバンド内で周波数チャネルを受領し、Ａ（８７０−８８０ＭＨｚ）、Ａ′（８９０−８９１．５ＭＨｚ）、Ａ″（８６９−８７０ＭＨｚ）のバンド幅内の周波数チャネルで送信している。Ｂバンドのプロバイダ用の基地局は、Ｂ（８３５−８４５ＭＨｚ）、Ｂ′（８４６．５−８４９ＭＨｚ）の周波数帯域でチャネルを受信し、Ｂ（８８０−８９０ＭＨｚ）、Ｂ′（８９１．５−８９４ＭＨｚ）の周波数帯域内でチャネルを送信している。さらに、個人通信システム（Personal Communications Systems，ＰＣＳ）用の基地局は、無線機器からＰＣＳバンド（１８５０ＭＨｚ−１９１０ＭＨｚ）のブロック上で周波数チャネルを受領し、ＰＣＳバンド（１９３０−１９９０ＭＨｚ）のブロック上で周波数チャネルを送信している。
【０００４】
一般的な送信機アーキテクチャにおいては、ベースバンド情報信号は、信号処理ユニット（signal processing unit，ＳＰＵ）に与えられるデジタル信号である。ＳＰＵは、ベースバンドデジタル信号を受領し、このデジタル信号に対し符号化とエラー検出処理とビットインターリービングと同位相（in-phase，Ｉ）と直交相（quadrature，Ｑ）の変調のデジタル変調を実行する。その結果得られたデジタル（Ｉ／Ｑ）変調された中間周波数（intermediate frequency，ＩＦ）信号は、デジタル−アナログコンバータ（digital to analog converter，ＤＡＣ）に与えられる。ＤＡＣは、デジタルＩＦ信号をアナログＩＦ信号に変換し、このアナログＩＦ信号は、アナログミキサを用いてアナログ無線周波数（ＲＦ）信号に変換され、適宜の周波数帯域で送信される。不連続の周波数バンド内で信号を同時に処理し送信する共通送信機がシステムハードウェアのコストを低下させる。
【０００５】
現在の所、送信システムは、アナログローパスフィルタを有し、デジタルからアナログ変換への処理の結果、ＤＡＣにより生成される高周波のアナログＩＦ信号の周期的イメージを取り除いている。デジタルＩＦスペクトラムが、変換レートでＤＡＣによりアナログ領域に変換されると、信号のバンド幅は、変換周波数の２分の１の数倍で周期的に回転する、即ちホールドする。かくして、信号バンド幅のレプリカイメージとミラーイメージがＤＡＣの変換レートに対応する周波数インターバルで周期的に繰り返される。
【０００６】
例えば、図１は、ＤＡＣのアナログフィルタ要件を示しており、それは基本アナログ出力周波数はｆ０＝１０ＭＨｚで、これは１０ＭＨｚのデジタル入力周波数に対応し、変換レートは１秒あたり３０メガワード（Ｍｗｐｓ）、即ち３０メガサンプル（Ｍｓｐｓ）で、これはトップグラフ（top graph）用の３０ＭＨｚの変換レートに等価であり、６０Ｍｗｐｓ即ち６０Ｍｓｐｓの変換レートはボトムグラフ（bottom graph）用の６０ＭＨｚの変換周波数に等価である。ＤＡＣは、１０ＭＨｚのデジタル信号を１０ＭＨｚの基本アナログ信号イメージ１２ａに変換する。３０ＭＨｚの変換レートでは、ＤＡＣは基本アナログ信号１２ａの２０ＭＨｚでミラーイメージ１４ａを出力する。
【０００７】
信号バンド幅とこの信号バンド幅のミラーイメージは、変換レートに対応する周波数インターバルで周期的に繰り返されるために、アナログ信号のレプリカイメージ１２ｂは４０ＭＨｚで生成され、ミラーイメージ１４ｂは５０ＭＨｚで生成され、レプリカイメージ１２ｃは７０ＭＨｚ、ミラーイメージ１４ｃは８０ＭＨｚで生成される。３０ＭＨｚの変換レートのＤＡＣにおいては、現在の設計慣行ではアナログローパスフィルタ（ＬＰＦ）を用いてＤＡＣの出力からイメージ１２ｂ−ｃと１４ａ−ｃを取り除き、基本１０ＭＨｚアナログ信号イメージを適宜のＲＦ周波数に変換して送信する。
【０００８】
６０ＭＨｚ（即ち、６０Ｍｓｐｓ，６０ｗｐｓ）の変換レートでは、ＤＡＣは基本の１０ＭＨｚアナログ信号イメージ１６ａと５０ＭＨｚでミラーイメージ１８ａを出力する。信号バンド幅とこの信号バンド幅のミラーイメージは、変換レートに対応する周波数インターバルで周期的に繰り返されるために、アナログ信号のレプリカイメージ１６ｂは、７０ＭＨｚで生成され、ミラーイメージ１８ｂは１１０ＭＨｚで生成される。上記したように、現在の設計慣行は、アナログローパスフィルタ（low pass filter，ＬＰＦ）を用いてＤＡＣの出力からイメージ１６ｂ，１８ａ，１８ｂとを除去し、基本１０ＭＨｚアナログ信号イメージを適宜のＲＦ周波数に上方変換して送信している。
【０００９】
【発明が解決しようとする課題】
技術が進歩するにつれてＤＡＣの変換レートが増加している。しかし、現在の送信機アーキテクチャは、ＤＡＣにより得られる基本的なコスト削減およびフレキシビリティを利用していない。
【００１０】
【課題を解決するための手段】
本発明は、デジタルからアナログへの変換器（ＤＡＣ）を用いて、デジタル信号をアナログ形式に変換し、ＤＡＣにより生成されたアナログ信号イメージを用いて送信周波数でアナログ信号を与え、あるいは／それと同時に投影（projected）されたアナログ信号イメージを用いて送信用のアナログ信号を生成する。ＤＡＣの出力点にあるローパスフィルタでもってアナログ信号イメージを除去する代わりに、あるいはアナログ信号イメージおよび周波数変換用のアナログミキサを用いる代わりに、デジタル送信機はＤＡＣからのアナログ信号イメージを用いて所望の周波数でもってアナログ信号を生成する。
【００１１】
ＤＡＣ用の変換レートあるいはデジタル信号周波数を設定あるいは調整することにより、ＤＡＣから生成されたアナログ信号イメージを所望の周波数バンドに配置することができる。例えばデジタル送信機は、ＤＡＣ用の変換レートの２分の１として定義された変換バンド幅のオーバラップしない部分内にデジタル信号を配置することができる。デジタル信号がアナログ形式に変換されると、ＤＡＣは、変換レートの２分の１の整数倍で周期的に繰り返されるアナログ信号イメージを生成し、かくしてアナログ信号イメージは、増幅用および送信用に適した適宜の周波数バンドで生成される。
【００１２】
【発明の実施の形態】
次にデジタルからアナログへの変換器（ＤＡＣ）を有するデジタル送信機システムが、デジタル信号をアナログ形態に変換して、その結果得られたアナログ信号イメージを用いて送信用のアナログ信号を生成する状態を示す。図２ａは、少なくとも１個のデジタル信号を受領するＤＡＣ２２を有するデジタル送信機２０を示す。ＤＡＣ２２は、変換レートｆｃでデジタル信号スペクトラムを変換する。ＤＡＣの変換レートｆｃは、０Ｈｚから変換レートの２分の１までの変換バンド幅がデジタル信号のバンド幅を包含するよう選択される。変換レートが上がるにつれて、変換バンド幅が広がる。デジタル信号バンド幅が変換レートの２分の１以上の場合には、投影イメージの間に好ましくないオーバラップが発生する。
【００１３】
図２ｂに示すように、ＤＡＣはデジタル信号（Ｆ１−ＦＮ）を変換レートの２分の１に等しい変換バンド幅内の周波数Ｆ１からＦＮまでのデジタル信号を包含する変換レートｆｃを用いて変換する。デジタルスペクトラムを変換レートｆｃでアナログ形式に変換するに際し、変換バンド幅、即ち基本アナログイメージ２４は変換周波数ｆｃの２分の１の整数倍でもって周期的に回転し、即ちフォールド（fold）して、アナログ信号（Ｆ１−ＦＮ）を含む基本アナログイメージ２４のミラー化された第１投影アナログイメージ２６ａとレプリカの第２投影アナログイメージ２６ｂとミラー化された第３投影アナログイメージ２６ｃを生成する。
【００１４】
アナログイメージは、変換レートでもってデジタルスペクトラムをアナログ形式に変換することにより、０Ｈｚから変換レートの２分の１までに生成された基本アナログイメージとも、この基本アナログイメージの投影されたレプリカとも、即ちミラー化されたアナログイメージとも称する。アナログ信号イメージは、基本アナログ信号イメージおよびデジタル信号スペクトラム内の特定のデジタル信号をアナログ形式に変換することにより得られた基本アナログ信号イメージの対応する投影されたアナログ信号イメージと称する。
【００１５】
変換レートまたはデジタル信号周波数またはその両方を設定することにより、変換されたデジタル信号は、デジタル信号がアナログ形式に変換されアナログ信号イメージが所望の周波数にあるような周波数に位置する。基本アナログ信号イメージが、所望の伝送周波数にあるときには、基本アナログ信号イメージは直接増幅され、アナログ領域で周波数変換を行うことなく所望の伝送周波数で送信することができる。しかし、基本アナログ信号イメージが所望の伝送周波数にないときには、デジタル送信機は、基本アナログ信号イメージから投影された後続のアナログ信号イメージを用いて伝送用に所望のアナログ信号を生成する。
【００１６】
かくして、アナログ信号イメージを基本アナログ信号イメージからフィルタ処理する代わりに、所望の伝送周波数に入る投影されたアナログ信号イメージを直接増幅し送信することができる。この投影されたアナログ信号イメージもまた所望の中間周波数（intermediate frequency，ＩＦ）上に入り、この周波数は増幅用および伝送用の中間周波数あるいは最終的に伝送周波数に周波数変換することができる。所望の中間周波数の投影されたアナログ信号イメージを用いることにより周波数変換段の数を減らすことができる。
【００１７】
投影されたアナログ信号イメージは、基本アナログ信号イメージのレプリカあるいはミラーイメージと称する。かくして、デジタル送信機はアナログイメージをフィルタ除去する必要がなく、またアナログ信号を適宜の伝送バンドに配置するためにアナログ領域内の周波数変換にのみ依存することもない。
【００１８】
デジタル送信機は、変換レートにより確立された変換バンド幅の柔軟性および効率的な利用を提供することができる。例えば、アナログ形式に変換されるデジタル信号が不連続の周波数バンドで送信される場合には、変換バンド幅は、十分に高い変換が利用可能な場合には、不連続のバンドを包含する。そうでない場合あるいは望ましい場合には、デジタル送信機は変換バンド幅内のデジタル信号を、送信周波数における対応するアナログ信号間の相対的位置とは独立した位置に配置することができる。
【００１９】
例えばデジタル信号は、伝送周波数の対応するアナログ信号よりも変換バンド幅内で互いに近く配置することができる。デジタル送信機がデジタル信号をアナログ形式に変換した後、異なるゾーン（または変換レートの２分の１の異なる整数倍）のアナログ信号イメージを用いて不連続の伝送バンド内にアナログ信号を生成することができる。
【００２０】
別法として、デジタル送信機は複数の無線通信周波数（ＰＣＳまたはセルラ）または複数の無線通信プロトコール（ＣＤＭＡ，ＧＳＭ，北米ＴＤＭＡその他）を用いて通信することができる。かくして、デジタル送信機（基地局または無線機器）により使用される無縁通信周波数または無線通信プロトコールによって、アナログ信号イメージが所望の伝送周波数上にあるように使用される変換レートが設定されデジタル信号の位置が調整される。
【００２１】
さらにまた、無線機器が無線通信システムにアクセスを試みようとしているときに、無線機器はそのシステムで使用される無線通信周波数またはプロトコールの種類の情報には依存せず、あるいはシステムは複数の不連続周波数バンドまたはプロトコールを用いることをができる。
【００２２】
無線通信システムにアクセスし通信するために無線機器は、デジタル信号周波数または変換レートを設定して、異なる周波数バンドあるいはプロトコールを用いて同時にアナログ信号を送信する。無線機器は、アナログ信号の送信用には一時に１個の周波数バンド／プロトコールの組合せを用い、例えば少なくとも１個の異なる周波数バンドに対応する各アナログ信号伝送用に変換レートまたはデジタル信号周波数を変えることにより送信する。
【００２３】
所望のタイプのアナログ信号伝送用のデジタル信号周波数または変換レートは、単一の周波数バンド／プロトコール構築用に予め設定され、複数の周波数／プロトコール構築用には、予め設定され記憶されあるいは実施例によっては、無線機器または無線通信システムから受領したまたは無線機器または基地局内で決定されあるいは計算される。
【００２４】
図２ａの実施例においては、信号分配ネットワーク、即ちカップリングネットワーク３０、例えばパワーディバイダーあるいはＮプレクサは、ＤＡＣ２２からアナログ信号スペクトラム全体を受領し、このアナログ信号あるいはその一部を組み合わせたり分離したりそしてアナログ信号を送信または増幅またはチャネルブランチ、即ちパス３１ａ−ｘに与える。例えば、パス３１ａ−ｘは対応するＲＦ周波数バンドでアナログ信号を搬送し、異なるアンテナまたはアンテナの組み上に送信すべきアナログ信号を搬送し、異なるあるいは連続する周波数バンドのアナログ信号のコピーを有する。
【００２５】
実施例によっては、カップリングネットワーク３０はＤＡＣ２２から各フィルタ３２ａ−ｘへの直接接続を含み、各フィルタ３２ａ−ｘは対応するアンテナ３６ａ−ｘに接続される。送信機２０が、１本の伝送ブランチ３１のみを有する場合にはカップリングネットワーク３０はＤＡＣ２２からフィルタ３２、増幅器３４を介してアンテナ３６への接続を有する。パス３１ａ−ｘ、フィルタ３２ａ−ｘ、増幅器３４ａ−ｘの数は、複数で互いに等しい場合もあれば異なる場合もある。
【００２６】
いずれの場合においてもカップリングネットワーク３０は、信号ｆ１からｆＮをパス３１ａ−ｘに与えて増幅と送信を行う。図２ａの実施例においては、カップリングネットワーク３０のバンドパスフィルタ３２ａ−３２ｘにより所望の周波数ｆ１からｆＮのアナログ信号は、対応するパス３１ａ−ｘ上を通過するが、他の信号周波数は減衰する。所望のアナログ信号ｆ１からｆＮは、増幅器３４ａ−ｘにより増幅されアンテナ３６ａ−ｘにより送信される。
【００２７】
図２ｂに示すように、アナログ信号用の所望の周波数ｆ１−ｆＮは、アナログ信号スペクトラムの異なる場所にある。例えば、増幅と送信用のアナログ信号ｆ１は、変換バンド幅内のアナログ信号バンド幅（Ｆ１−ＦＮ）の一部の上、あるいは０Ｈｚから１／２ｆｃの間の基本アナログイメージの一部の中にある。アナログ信号ｆＮは、変換周波数ｆｃのｎ−１倍のレプリカイメージ２６ｂの一部の中にある。アナログ信号が所望の周波数（ｆ１−ｆＮ）で分離された後、増幅器３４ａ−ｘが所望の周波数でアナログ信号を増幅し、アンテナ３６ａ−ｘを介して送信される。
【００２８】
図２ａの実施例においては、送信機２０は信号処理装置（ＳＰＵ）４２ａ−ｉを有し、このＳＰＵ４２ａ−ｉがｍ個のデジタル信号、即ちストリームＤ１からＤｍ、例えばベースバンドデジタル情報信号を受領する。ＳＰＵが単一のデジタル信号と複数のデジタル信号、この複数のデジタル信号を含む合成デジタル信号のいずれかあるいはそれらのいくつかを受領する。この実施例においては、ＳＰＵ４２ａ−ｉは、少なくとも１個のデジタル信号を受領する。ＳＰＵ４２ａ−ｉが複数のデジタル信号を含むデジタル信号（例えば８−１０ｋｂｐｓの１０個の音声の呼び用のデジタルベースバンド情報信号）を受領すると、これらのデジタル信号が全て一緒にされる。
【００２９】
各ＳＰＵ４２ａ−ｉは、デジタル信号を符号化しこのデジタル信号に対しエラー修正情報を付加し、ビットインターリーブを実行し、デジタル信号上で同位相（Ｉ）と直交相（Ｑ）の変調を実行し、デジタル周波数変換を実行し、アップ（またはダウン）でデジタル中間周波数（ＩＦ）信号を生成する。変換バンド幅内のデジタル信号の一部が調整を必要とする場合には、デジタル周波数コンバータは、例えば数値制御発振器（numerically controlled oscillator，ＮＣＯ）と、周波数スペクトラムを配置するデジタルミキサとを用いてベースバンドのデジタル信号またはデジタルＩＦ信号を同調して、デジタル信号をＤＡＣ用の変換バンド幅内に適切に配置し、その結果得られたアナログ信号がＤＡＣ２２の出力点で所望の周波数帯域に入るようにする。
【００３０】
図２ａの実施例においては、ＳＰＵ４２ａ−ｉは少なくとも１個のデジタル信号の処理から得られたデジタルＩ／Ｑ変調信号（デジタル中間周波数（ＩＦ））を対応するバス４４ａ−ｉ上に生成する。バス４４ａ−ｉはコンバイナ（結合器）４６に与えられ、このコンバイナ（結合器）４６は、例えばバス加算器として機能するフィールドプログラマブルゲートアレイ（field programmable gate array，ＦＰＧＡ）である。コンバイナ（結合器）４６は異なるバス４４ａ−ｉからのデジタル信号のデータエッジとクロックとを整合させ、バス４４ａ−ｉ上のデジタル信号をバス４８上に加算する。
【００３１】
一実施例においては、各バス４４ａ−ｉはデジタルデータの６８（Ｍｗｐｓ）を取り扱う１８ビットバスである。ここで、ワードとはバスの幅で、バス４８は、６８Ｍｗｐｓを処理できる１４ビットバスである。５個のＳＰＵ４２ａ−ｉがある場合には、各ＳＰＵ４２ａ−ｉは最大１０個のボイスコールを処理でき、バス４８は最大５０個のボイスコール用のデジタル信号を搬送することができる。このバス４８は、混成（合成）デジタル信号をＤＡＣ２２に与え、ＤＡＣ２２は６８ＭＨｚの変換レートで動作する１４ビットＤＡＣである。この実施例においては、ＤＡＣは１４ビットデバイスであり、加算されるべき各バス４４ａ−ｉは、１８ビット（プラス符号ビット）であるために、ＦＰＧＡである結合器４６は来入するバス４４ａ−ｉの得られた和上の切り捨てを実行する。この切り捨ては、ゲイン調整とも通常称する。
【００３２】
前述したように、ＤＡＣ２２用の変換レートは、デジタル情報信号の全バンド幅が変換レート、即ち変換周波数の少なくとも２分の１である変換バンド幅により包含されるよう選択される。さらに、別のデジタル信号は、変換バンド幅のオーバラップしない部分を専有し、延ばして（fold out）各対応するデジタル信号用に所望の周波数バンドでアナログ信号イメージを生成する。この所望の周波数バンドのアナログ信号イメージを用いて、アナログ信号を生成してＲＦで送信する。
【００３３】
図３は、混成（合成）デジタル信号の０Ｈｚから５０ＭＨｚの周波数スペクトラム解析を示す。このグラフは、合成デジタル信号上にフーリエ変換を実行することにより得られた。合成デジタル信号は、デジタル信号とも称するが、中心周波数が１０ＭＨｚで２ＭＨｚのバンド幅で振幅が−１０ｄＢｍの（ＣＤＭＡ）デジタル信号５０と、中心周波数が２０ＭＨｚでバンド幅が７ＭＨｚで振幅が−４ｄＢｍの（ＦＭ）デジタル信号５２とを有する。合成デジタル信号がＤＡＣに与えられ、アナログ形式に変換される。
【００３４】
図４は、図３の合成デジタル信号から得られたＤＡＣの出力の０から５０ＭＨｚの周波数スペクトラムの解析結果で、ＤＡＣが５０ＭＨｚの変換レート、即ち周波数で動作する。０Ｈｚから１／２ｆｃ（これは変換バンド幅でゾーン０と称称する）では基本アナログ信号イメージ６０と６２がデジタル信号５０，５２のデジタルからアナログへの変換結果として表れる（図３）。
【００３５】
かくして、基本アナログ信号イメージ６０は図３のＣＤＭＡデジタル信号５０に対応し、基本アナログ信号イメージ６２は図３のＦＭデジタル信号５２に対応する。同図に示すように、アナログ信号イメージ６０は中心周波数が１０ＭＨｚの場所にあり、バンド幅は２ＭＨｚで振幅は−２６ｄＢｍである。アナログ信号イメージ６２は中心周波数が２０ＭＨｚの場所にあり、バンド幅は７ＭＨｚで振幅は−２２ｄＢｍである。
【００３６】
上記したように、変換バンド幅内のスペクトラムは、変換レートの１／２のインターバルで広がり（folds up）、基本イメージの投影されたレプリカイメージとミラーアナログイメージとを生成する。図４においては、変換バンド幅あるいはゾーン０は、２５ＭＨｚ（変換レートの２分の１）でホールドし、２５ＭＨｚから５０ＭＨｚ（ゾーン１と称する）までの基本アナログイメージ２４のミラー化アナログイメージ２６ａを生成する。ゾーン１においては、アナログ信号イメージ６４ａは、ＦＭアナログ信号イメージ６２のミラーイメージである。
【００３７】
アナログ信号イメージ６４ａは中心周波数が３０ＭＨｚで、バンド幅が−７ＭＨｚで、振幅は−２５ｄＢｍである。アナログ信号イメージ６６ａは、ＣＤＭＡアナログ信号イメージ６０のミラーイメージである。アナログ信号イメージ６６ａは、中心周波数が４０ＭＨｚで、バンド幅が２ＭＨｚで、振幅が−３８ｄＢｍである。図の間の振幅の差は、図の間のスペクトラムアナライザに変化（例えば、解像度のバンド幅、ビデオバンド幅（video bandwidth，ＶＢＷ）を付けたことにより得られたもの、スイープレート、スパンとスタート／ストップ）である。この変動を設定することは、スペクトラムアナライザの解像度と精度に影響を及ぼす。
【００３８】
図５は、スペクトラムアナライザの感度を高い状態に設定した０から１００ＭＨｚの周波数スペクトラムのグラフである。上記したように、基本アナログ信号イメージを含む変換バンド幅２４即ちゾーン０（基本アナログイメージ）のレプリカとミラーの投影アナログイメージが変換周波数の周波数インターバルで繰り返して表れる。図５においては、ゾーン１は、基本アナログイメージあるいはゾーン０のミラー化された第１投影アナログイメージ２６ａであり、ゾーン２は基本アナログイメージあるいはゾーン０のレプリカの第２の投影アナログイメージ２６ｂであり、ゾーン３は基本アナログイメージあるいはゾーン０のミラー化された第３投影アナログイメージ２６ｃである。
【００３９】
かくして、ゾーン２のアナログ信号イメージ６６ｂはＣＤＭＡアナログ信号イメージ６０のレプリカであり、ゾーン２のアナログ信号イメージ６４ｂは、ＦＭアナログ信号イメージ６２のレプリカである。ＣＤＭＡアナログ信号イメージ６６ｂは、中心周波数が６０ＭＨｚでバンド幅が同じで振幅が１５ｄＢ以下である。ＦＭアナログ信号イメージ６４ｂは中心周波数が７０ＭＨｚで、バンド幅は同じで、振幅は１２ｄＢ以下である。
【００４０】
ゾーン３においては、ゾーン３のアナログ信号イメージ６６ｃはＣＤＭＡアナログ信号イメージ６０のミラーイメージであり、ゾーン３のアナログ信号イメージ６４ｃはＦＭアナログ信号イメージ６２のミラーイメージである。ＦＭアナログ信号イメージ６４ｃは中心周波数が８０ＭＨｚでバンド幅が同一で、振幅はゾーン２のＦＭアナログ信号イメージ６４ｂより約１ｄＢ小さい。ＣＤＭＡアナログ信号イメージ６６ｃは中心周波数が９０ＭＨｚでバンド幅が同一で振幅がゾーン２のＣＤＭＡアナログ信号イメージ６６ｂよりも４ｄＢ小さい。
【００４１】
図６は、投影アナログイメージ２６ｒ−ｕを含む４５０ＭＨｚから５５０ＭＨｚの周波数スペクトラムを表すグラフである。図６において、投影アナログイメージ２６ｒは基本アナログイメージあるいはゾーン０の１８番目の投影イメージ、即ちゾーン１８である。アナログイメージ２６ｒ、即ちゾーン１８は基本アナログイメージ、即ちゾーン０のレプリカである。ＣＤＭＡアナログ信号イメージ６６ｒはＣＤＭＡアナログ信号イメージ６０（図５）のレプリカであり、ＦＭアナログ信号イメージ６４ｒはＦＭアナログ信号イメージ６２のレプリカ（図５）である。ＣＤＭＡアナログ信号イメージ６６ｒは中心周波数が４６０ＭＨｚで、振幅はＣＤＭＡアナログ信号イメージ６０の振幅より約３９ｄＢ小さい。ＦＭアナログ信号イメージ６４ｒは中心周波数が４７０ＭＨｚで、振幅はＦＭアナログ信号イメージ６２（図５）の振幅より約２９ｄＢ小さい。
【００４２】
投影アナログイメージ２６ｓは基本アナログイメージ、即ちゾーン０の１９番目の投影されたアナログイメージ、即ちゾーン１９である。アナログイメージ２６ｓ、即ちゾーン１９は基本アナログイメージ、即ちゾーン０のミラーイメージである。ＣＤＭＡアナログ信号イメージ６６ｓはＣＤＭＡアナログ信号イメージ６０のミラーイメージであり、ＦＭアナログ信号イメージ６４ｓはＦＭアナログ信号イメージ６２のミラーイメージである。
【００４３】
ＣＤＭＡアナログ信号イメージ６６ｓは中心周波数が４９０ＭＨｚで、振幅はＣＤＭＡアナログ信号イメージ６６ｒの振幅より若干小さい。ＦＭアナログ信号イメージ６４ｓは中心周波数が４８０ＭＨｚで、振幅はＦＭアナログ信号イメージ６４ｒの振幅より約１ｄＢ小さい。
【００４４】
投影アナログイメージ２６ｔは基本アナログイメージ、即ちゾーン０の２０番目のイメージ、即ちゾーン２０である。投影アナログイメージ２６ｔ、即ちゾーン２０は、基本アナログイメージ、即ちゾーン０のレプリカである。ＣＤＭＡアナログ信号イメージ６６ｔは、ＣＤＭＡアナログ信号イメージ６０のレプリカであり、ＦＭアナログ信号イメージ６４ｔは、ＦＭアナログ信号６２のレプリカである。
【００４５】
ＣＤＭＡアナログ信号イメージ６６ｔは、中心周波数が５１０ＭＨｚで、振幅は、ＣＤＭＡアナログ信号イメージ６６ｓのそれと同じである。ＦＭアナログ信号イメージ６４ｔは中心周波数が５２０ＭＨｚで、振幅はＦＭアナログ信号イメージ６４ｓのそれよりも３ｄＢ小さい。
【００４６】
最後に、投影アナログイメージ２６ｕは基本アナログイメージ、即ちゾーン０の２１番目の投影アナログイメージ、即ちゾーン２１である。投影アナログイメージ２６ｕ、即ちゾーン２１は、基本アナログイメージ、即ちゾーン０のミラーイメージである。ＣＤＭＡアナログ信号イメージ６６ｕは、ＣＤＭＡアナログ信号イメージ６０のミラーイメージであり、ＦＭアナログ信号イメージ６４ｕは、ＦＭアナログ信号イメージ６２のミラーイメージである。
【００４７】
ＣＤＭＡアナログ信信号対ノイズ比（ＳＮＲ）を維持しながらノイズフロアーをできるだけ低く維持することができる。
【００４８】
さらにまた、デジタル領域またはアナログ領域で振幅等価フィルタリングを実行することにより、アナログ信号イメージ上にＤＡＣにより導入された振幅の減少または振幅歪みを補償することができる。例えば、フィルタリングは、アナログ信号イメージに対する所望の周波数でアナログ信号イメージ上にＤＡＣにより導入されたsinｘ／ｘあるいは他の影響を補償するためにsinｘ／ｘ関数あるいは他の関数の逆関数を実行する。
【００４９】
図７は、１ＭＨｚから７００ＭＨｚの周波数スペクトラムの７００ＭＨｚに亘るＤＡＣ出力のグラフである。上記したように、変換レートあるいは周波数の各インターバル７０ａ−ｎはゾーン０の基本アナログイメージのレプリカアナログイメージ（インターバル７０ａの基本アナログイメージそのもの）とミラーアナログイメージとを含む。
【００５０】
アナログイメージは、このような広い周波数スパンに亘ってスペクトルアナライザーの解像度に限界があるため、上記したようには表れない。図７は、アナログ信号イメージの振幅が、周波数が増加するにつれていかに減少するかを示している。この実施例においては、アナログ信号イメージは、周波数インターバル７０ａから周波数インターバル７０ｎにかけて約３０ｄＢ減少し、これはアナログイメージの振幅がsinｘ／ｘあるいはsinｃ関数の悪化による。
【００５１】
かくして、本発明によるデジタル送信機は周波数変換段を減少あるいは除去し、所望の周波数のアナログ信号イメージを用いることによりＤＡＣの出力点のローパスフィルタを取り除くとができ、これによりベースバンドのアナログ信号と中間周波数（ＩＦ）と無線周波数（ＲＦ）を生成する。さらにまた、ＤＡＣに用いられる変換レートによっては、異なるデジタル信号が変換バンド幅のオーバーラップしない部分に配置することができ、かつ異なるアナログ信号イメージあるいはその一部を異なるアナログベースバンドに配置することができ（ＩＦ）周波数信号または（ＲＦ）周波数信号あるいはその両方にアナログ信号送信用に用いることができる。
【００５２】
例えば上記の例においては、第１ゾーン（ゾーン１）からのＦＭアナログ信号イメージを用いてＲＦでＦＭアナログ信号を送信する。第２ゾーンからのＣＤＭＡアナログ信号イメージを用いてＲＦを介して無線でＣＤＭＡアナログ信号イメージを送信することができる。このためデジタル送信機２０（図２）は、単一のＤＡＣで利用可能な変換バンド幅を用いて異なるＲＦ周波数バンドでＲＦアナログ信号を生成することができる。
【００５３】
実施例によっては、および本発明のデジタル送信機の柔軟性に起因して送信機は、様々な方法でＤＡＣ２２の潜在的な変換バンド幅を用いることができる（図２ａ）。例えば、Ｂバンドのサービスプロバイダに対しては、セルラ基地局の送信ＢとＢ′のバンド幅（８８０−８９０と８９１．５−８９４ＭＨｚ）を介して送信される通信用のデジタル信号はＤＡＣ２２の変換バンド幅の全部で１４ＭＨｚの部分に配置することができ（ＲＦにおけるＢとＢ′バンドの間の関係がデジタル領域におけるＢとＢ′のバンドでも維持される場合）、その結果得られたゾーン０のセルラアナログ信号バンド幅は８８０−８９４ＭＨｚのセルラ基地局の送信バンド幅に広げられる（folds out）。
【００５４】
ＰＣＳ基地局送信バンド（１９４５−１９５０ＭＨｚ）のＤブロックを介して通信されるデジタル信号は、変換バンド幅の５ＭＨｚ部分内に配置することができ、これはセルラバンドとオーバラップすることがなく、その結果得られたゾーン０のＰＣＳアナログ信号バンド幅は、（１９４５−１９５０ＭＨｚ）のＰＣＳ基地局送信バンドのＤブロックまで広げられる。さらにまたこの実施例においては、ＦＭ無線周波数バンド（８８から１０８ＭＨｚ）で送信されるべきデジタル信号情報は、ＤＡＣ２２の変換バンド幅の２０ＭＨｚの部分内に配置することができ、その結果得られたＦＭ無線アナログ信号バンド幅は８８−１０８ＭＨｚのＦＭ無線バンドまで広げられる。
【００５５】
この実施例においては、変換バンド幅の異なる部分のＲＦアナログ信号の全バンド幅は、セルラバンド（１４ＭＨｚ）と、ＰＣＳＤブロック（５ＭＨｚ）と、ＦＭ無線バンド（２０ＭＨｚ）が追加された後では３９ＭＨｚである。かくして、ＤＡＣ２２の変換レートを用いて、変換バンド幅はＲＦアナログ信号の３９ＭＨｚバンド幅を処理するのに十分なものとなる。例えば、３９ＭＨｚのバンド幅の最小値においては、変換レートは少なくとも７８ＭＨｚでなければならない。
【００５６】
ＤＡＣ２２の変換レートは、異なる周波数バンドが所望の周波数バンド内に再形成されるように選択される。かくして適宜の変換レートの選択は、変換バンド幅からアナログイメージの所望の周波数バンドへ異なる周波数バンドを相対的に配置することにより行われる。実際には、変換レートは異なる周波数バンドの信号間にガードバンドを提供するよう選択される。
【００５７】
この実施例においては、図８は３００ＭＨｚの対応する変換バンド幅でＤＡＣが６００ＭＨｚの変換レートを有する結果得られたＤＡＣの出力を示す。変換バンド幅内でＦＭデジタル信号バンド幅は８８から１０８ＭＨｚに配置され、ＰＣＳのＤブロックのデジタルバンド幅は１４５−１５０ＭＨｚに配置され、セルラＢバンドデジタルバンド幅は２０８−２９４ＭＨｚに配置される。ＤＡＣは、デジタルスペクトラムをアナログ形式に変換し、その結果基本イメージ８０は変換バンド幅内に入り、基本アナログ信号イメージ８２は８８−１０８ＭＨｚで、基本アナログ信号イメージ８４は１４５−１５０ＭＨｚ（ＰＣＳＤブロック）で、基本アナログ信号イメージ８６は２８０−２９４ＭＨｚである。
【００５８】
変換バンド幅は変換レートの１／２のインターバルで自分自身の周囲で広がる（folds about itself）。次に基本ＦＭアナログ信号イメージ８２は適宜の伝送周波数にある。かくしてデジタル送信機は、８８−１０８ＭＨｚでエアー（無線）を介して伝送するために、基本ＦＭアナログ信号イメージ８２を用いることができる。奇数番号のゾーンである８８ａ，ｃ，ｅ，ｇ内では、ゾーン０のミラーイメージ８０が形成され、一方偶数番号のゾーンである８８ｂ，ｄ，ｆではゾーン０のレプリカイメージが形成される。かくして、ゾーン８８ａ−ｇではＤＡＣの出力はＦＭアナログ信号イメージ９０ａ−ｇを含み、これはこの実施例では用いられない。
【００５９】
信号バンド幅のミラーリングと脱ミラーリングは、例えばデジタル領域に変換する間、あるいはその前に同位相（Ｉ）成分と、直交相（Ｑ）成分を交換することにより容易に実行され、その結果伝送用のミラー化されたアナログ信号イメージが所望のスペクトラム関係を有する。ミラー化されたアナログ信号イメージの所望のスペクトラム関係は、デジタル信号を処理することにより行われ、その結果得られた伝送用のミラー化（ミラー）アナログ信号イメージは所望のスペクトラム位置（例えば、脱ミラー化）を有する。別法として、受信機はミラー化アナログ信号イメージを受領し、所望のアナログ信号イメージを形成するためにスペクトラムの脱ミラー化（de-mirroring）あるいはフォールディング（拡張：folding）を実行する。
【００６０】
基本ＦＭアナログ信号イメージ８２は８８−１０８ＭＨｚの伝送周波数にあるために、デジタル送信機は増幅用と送信用に８８−１０８ＭＨｚの基本ＦＭアナログ信号イメージを用いることができる。セルラＢバンドアナログ信号イメージ９４ｂはセルラＢバンド用の伝送周波数８８０−８９４ＭＨｚに入り、その結果セルラＢバンドアナログ信号イメージ９４ｂが増幅され、セルラＢバンドに送信される。ＰＣＳＤブロックアナログ信号イメージ９２ｆはＰＣＳＤブロック用の伝送周波数１９４５−１９５０ＭＨｚにあり、ＰＣＳＤブロック、アナログ信号イメージ９２ｆは増幅されＰＣＳＤブロックに送信される。
【００６１】
図２ａの実施例と図８の実施例を参照すると、ＤＡＣ２２の出力をカップリングネットワーク３０が受領する。カップリングネットワーク３０内でバンドパスフィルタ３２ａは８８−１０８ＭＨｚのＦＭブロードキャストバンドに対応する。かくして、フィルタ３２ａにより８８ＭＨｚ−１０８ＭＨｚの間の周波数はパス３１ａ上を通過し、その間に他の周波数は減衰する。パス３１ａ上の基本ＦＭアナログ信号イメージ８２は、増幅器３４ａにより増幅され、アンテナ３６ａから送信される。
【００６２】
バンドパスフィルタ３２ｂは、セルラＢバンド周波数あるいはその一部に対応し、８８０−８９４ＭＨｚの間の周波数はパス３１ｂ上を通過し、その間に他の周波数は減衰する。パス３１ｂ上のセルラＢバンドアナログ信号イメージ９４ｂは増幅器３４ｂにより増幅され、アンテナ３６ｂから送信される。最後に、バンドパスフィルタ３２ｘはＰＣＳＤブロックの周波数あるいはその一部に対応し、１９４５−１９５０ＭＨｚの間の周波数はパス３１ｙ上を通過し、その間に他の周波数は減衰する。パス３１ｙ上のＰＣＳＤブロックアナログ信号イメージ９２ｆは増幅器３４ｙにより増幅され、アンテナ３６ｚから送信される。
【００６３】
かくして、この実施例においては、本発明による送信機はパス３１ａ−ｘのいずれかの上に周波数変換段（ミキサ／ＬＯの組合せ）を必要としない。ミキサ／ＬＯを具備しない送信機は、コストを低減するだけでなくいくつかの利点がある。例えば、周波数変換段に固定したローカルオシレータ（local oscillater，ＬＯ）がない場合には、電子パワーの消費を減らすことができかつコストとサイズも減らすことができる。
【００６４】
ＩＦにおけるフィルタ要件を減らすあるいは削除することができ、同時にＬＯ放射の除去のフィルタ要件も減らすことができる。ミキサが必要とされないために、ミキサからの偽信号およびミキサにより生成された変調間の歪みも除去することができ、これにより偽信号のないダイナミックレンジを改善することができ、要件を緩和することができる。さらにまた、ミキサにより導入される損失も除くことができ、これにより必要とされるチャネルゲインを減らし、ゲインの線形性を改善できる。
【００６５】
ＤＡＣ２２に対する変換レートを適宜選択／設定することにより本発明の送信機は、ＤＡＣ２２により提供される変換バンド幅の利用率を向上させ大きな周波数差により分離された様々な異なる周波数バンドでＲＦアナログ信号を送信することができる。上記の例においては、ＦＭ無線スペクトラム全体と、セルラスペクトラムのＢバンドと、ＰＣＳスペクトラムのＤバンドを３００ＭＨｚの変換バンド幅内のデジタル領域に配置することができ、それを６００ＭＨｚの変換レートを有する単一のＤＡＣを用いてアナログ形式に変換することができる。
【００６６】
変換バンド幅内のデジタル信号をアナログ信号に変換するに際し、ＤＡＣは変換バンド幅内の変換されたデジタル信号の基本アナログイメージと、この基本アナログイメージのレプリカとミラーイメージとを生成し、これを用いて適宜の伝送周波数でアナログ信号を生成する。他の実施例においては、別の変換レートを用いて変換バンド幅を増加したり、減少したりすることができ、これにより余分のバンド幅あるいは異なる周波数バンドの信号間にガードバンドを提供することができる。
【００６７】
したがって、本発明の送信機は、異なる多重アクセス技術あるいは同一の多重アクセス技術あるいはそれを使わずに、同一あるいは異なる変調技術または単一のＤＡＣコンバータ内で異なるあるいは連続する周波数バンドをＲＦバンドまたは送信用周波数バンドへの周波数変換を行うことなく、システムからの信号を送信することができる。アナログ信号は、ワイドバンドまたはブロードバンドまたはナローバンドとして特徴づけることができる。別の実施例は、アナログ信号イメージの周波数変換を有する。
【００６８】
かくして、アナログ信号イメージは周波数変換を必要とするような中間周波数にあることがある。例えば、アナログ信号ミラーあるいはレプリカイメージは、無線周波数あるいは送信用周波数に周波数変換され、周波数変換段を減らしたり削減したりあるいは無線周波数または送信周波数でのアナログ信号イメージの位置を微調整することができる。
【００６９】
上記の実施例に加えて、本発明の別の周波数アーキテクチャも可能であり、上記した周波数アーキテクチャの構成要素を追加したり省いたりあるいはそれらを修正することも可能である。例えば、ＡＭブロードキャスト無線周波数バンド（５５０−１６００ｋＨｚ）を合成デジタル信号に付加することができ、ＤＡＣ２２がＡＭ無線周波数バンド内でデジタル信号を変換することもできる。ＡＭ無線周波数バンドは、変換バンド幅のｋＨｚの範囲に配置することが可能である。
【００７０】
かくして本発明の送信機は、変換プロセスからのアナログ信号イメージを用いて様々なソース（例えば、セルラＰＣＳネットワーク、ＡＭ／ＦＭ放送無線局、衛星システム、様々な物理的媒体に基づいた他のシステム）からの信号を同時に送信することができる。送信機のアーキテクチャおよびそれぞれの動作パラメータおよび特性を形成する様々な構成要素は、適切な動作を提供するために適宜マッチングされる。
【００７１】
例えば、送信システムの一実施例を用いて異なるプロトコールとＲＦ周波数を用いたシステム（例えば、北米ＴＤＭＡシステム、ＧＳＭ（Global System For Mobile Communication）システム、ＣＤＭＡシステム、ＦＤＭＡシステム、ＦＭ無線／ＡＭ無線システム）に従って信号を送信することができる。
【００７２】
さらにまた本発明の送信機の一実施例は、不連続の周波数バンド内でアナログ信号を送信するために複数の個別のアナログ信号イメージを用いる例を用いて記載した。本発明によるデジタル送信機は、変換レートまたはデジタル信号周波数、例えばそれらは加入時にダイナミックかつ周期的に設定可能であり、製造時あるいは現場で制御可能であり、特定の周波数バンド内のアナログ信号の伝送用にアナログ信号を生成し、あるいはセルラＢバンドにおいて例えばＣＤＭＡの特定の多重アクセス技術を用いて実行可能である。
【００７３】
かくして、同一のハードウェアを異なる周波数のアナログ信号を送信するためあるいは異なる多重アクセス技術あるいはプロトコールを用いて送信するためのデジタル送信機用に用いることができる。
【００７４】
好ましいプロトコールあるいは多重アクセス技術は、登録されたあるいはダウンロードして取得したソフトウェアまたは送信機を再構成することにより、例えばプログラマブル論理デバイスとを用いて提供することができる。
【００７５】
上記の実施例において、伝送用の周波数バンドは基地局の送信用周波数に関連づけられる。しかし、本発明の送信機のアーキテクチャは無線ユニット、例えば移動機は異なる周波数バンドで情報を送信する。例えば、同一あるいは異なる多重アクセスシステムを用いてＰＣＳ周波数またはセルラ周波数上で送信できこれにより複数の無線通信システムへのアクセスを与える。
【００７６】
１個あるいは複数の無線通信システムへのアクセスが得られた後、デジタル送信機は、対応する周波数バンドで１つあるいは複数の無線通信システムで送信を継続することができる。かくして、無線機器のカバレッジ領域あるいは機能によって無線機器あるいは無線基地局は、製造時あるいは動作時あるいは設定値にダイナミックにあるいは周期的にデジタル信号の変換レートまたは周波数を調整して所望のバンドで伝送できるようアナログ信号イメージを配置できる。
【００７７】
これにより、送信機アーキテクチャのフレキシビリティが増し、動作周波数を変化させたり別の動作周波数を与えることができる。その理由は、製造時あるいは設定後、通常固定される送信パス上でアナログ周波数の変換を必要としないからである。
【００７８】
さらにまた、送信システムは個別の構成要素の特定の組合せでもって記載したが、送信システムおよびその一部は特定アプリケーション用の集積回路、ソフトウェア駆動の処理回路、ファームウェア、プログラマブル論理回路、ハードウェアあるいは他の個々の構成要素の別の組合せを用いて実現することもできる。
【００７９】
本発明は特定の回路でもって示したが、本発明のアーキテクチャは実施例に開示した回路と類似の機能を実行する異なる構成要素を用いることも可能である。上記の説明は本発明の単なる一実施例であり、様々な変形修正が可能である。しかし、これらの変形修正も本発明の範囲に入るものである。
【図面の簡単な説明】
【図１】ＤＡＣの出力からのアナログ信号イメージをいかにフィルタ除去するかの従来の一般的なグラフを表す図
【図２】Ａ  本発明による送信機の一実施例のブロック図
Ｂ  Ａの送信機用のＤＡＣの出力のグラフ
【図３】本発明により送信されアナログ形式に変換されたデジタル信号の周波数領域のグラフ
【図４】図３のデジタル信号を５０ＭＨｚの変換周波数を用いてアナログ形式に変換した結果により得られたＤＡＣの出力点における０から５０ＭＨｚのスパンのアナログ信号イメージを表す図
【図５】図３のデジタル信号を５０ＭＨｚの変換周波数を用いてアナログ形式に変換した結果により得られたＤＡＣの出力点における０から１００ＭＨｚのスパンのアナログ信号イメージを表す図
【図６】図３のデジタル信号を５０ＭＨｚの変換周波数を用いてアナログ形式に変換した結果により得られたＤＡＣの出力点における４５０から５５０ＭＨｚのスパンのアナログ信号イメージを表す図
【図７】図３のデジタル信号を５０ＭＨｚの変換周波数を用いてアナログ形式に変換した結果により得られたＤＡＣの出力点における０から７００ＭＨｚのスパンのアナログ信号イメージを表す図
【図８】ＰＣＳデジタル信号、セルラデジタル信号、ＦＭデジタル信号を６００ＭＨｚの変換周波数を用いてアナログ形式に変換した結果により得られたＤＡＣの出力点における０から２４００ＭＨｚのスパンのアナログ信号イメージを表す図
【符号の説明】
１２ａ  基本アナログ信号イメージ
１２ｂ，１２ｃ  レプリカイメージ
１４ａ，１４ｂ  ミラーイメージ
２０  デジタル送信機
２２  ＤＡ変換器（ＤＡＣ）
２４  基本アナログイメージ
２６  投影アナログイメージ
２６ａ  ミラー化された第１投影アナログイメージ
２６ｂ  レプリカの第２投影アナログイメージ
２６ｃ  ミラー化された第３投影アナログイメージ
３０  カップリングネットワーク
３１  パス
３２  バンドパスフィルタ
３４  増幅器
３６  アンテナ
４２  信号処理装置（ＳＰＵ）
４４，４８  バス
４６  結合器
５０  ＣＤＭＡデジタル信号
５２  ＦＭデジタル信号
６０，６６ｂ，ｃ，ｒ，ｓ，ｔ，ｕ  ＣＤＭＡアナログ信号イメージ
６２，６４ｂ，ｃ，ｓ，ｔ，ｕ  ＦＭアナログ信号イメージ
６４ａ，６６ａ  アナログ信号イメージ
８０  ミラーイメージ
８２  基本ＦＭアナログ信号イメージ
８４，８６  基本アナログ信号イメージ
９０  ＦＭアナログ信号イメージ
９４ｂ  セルラＢバンドアナログ信号イメージ
９２ｆ  ＰＣＳＤブロックアナログ信号イメージ
【図１】
0004018406.tif 000002
【図２】
0004018406.tif 000003
【図３】
0004018406.tif 000004
【図４】
0004018406.tif 000005
【図５】
0004018406.tif 000006
【図６】
0004018406.tif 000007
【図７】
0004018406.tif 000008
【図８】
0004018406.tif 000009